Podtech/llm-jp-corpus-v4-ja_patent huggingface dataset:
【手続補正書】
【提出日】平成20年5月15日(2008.5.15)
【手続補正１】
【補正対象書類名】特許請求の範囲
【補正対象項目名】全文
【補正方法】変更
【補正の内容】
【特許請求の範囲】
【請求項１】
（ｉ）（１）アルカリ金属スルフィドおよびジハロ芳香族化合物の反応生成物であり３１０℃で決定された溶融粘度（ＭＶ）と１２００sec-１で約１２００〜約３０００ポイズの間の剪断率を有する大量の未硬化で実質的にアモルファスなポリフィニレンスルフィド（ＰＰＳ）と（２）少量のポリマー結晶性向上剤より成るブレンドの溶融フィラメント状流を形成し
（ii）前記フィラメント状流を冷却固化して互いに結合していない固化フィラメントの結合力のない不織塊を得て、しかる後
（iii）前記固化フィラメントの結合力のない不織塊を約１４０℃以上のカレンダー加工温度で加熱されたカレンダーロールのニップに通過させて不織塊の上に約６０％を越える結晶性を有する少なくとも実質的に結晶性表面領域を生成し、それにより個々のフィラメントが互いに結合している結合力のあるスパンボンドファブリックを提供し、該スパンボンドファブリックは３分間１２０℃で熱硬化させると約５％未満の縦方向および横方向の収縮を示すことを特徴とするスパンボンドファブリックの製造方法。
【請求項２】
結晶性向上剤がポリオレフィン、ポリアルキレンテレフタレート、およびポリアミドから成る群より選択される少なくとも１つのポリマーであることを特徴とする請求項１に記載の方法。
【請求項３】
結晶性向上剤がポリエチレン、ポリプロピレン、ポリブチレンおよびポリオクテンから選択されるポリオレフィンであることを特徴とする請求項２に記載の方法。
【請求項４】
結晶性向上剤がポリブチレンテレフタレート（ＰＢＴ）、ポリエチレンテレフタレート（ＰＥＴ）、ポリシクロヘキシレンジメチレンテレフタレート（ＰＣＴ）およびポリエチレンナフタレート（ＰＥＮ）から選択されるポリアルキレンテレフタレートであることを特徴とする請求項２に記載の方法。
【請求項５】
結晶性向上剤がナイロン６またはナイロン６，６から選択されるポリアミドであることを特徴とする請求項２に記載の方法。
【請求項６】
結晶性向上剤が約２８０℃から約３４０℃の融点を有する高温ポリアミドであることを特徴とする請求項２に記載の方法。
【請求項７】
高温ポリアミドが、ヘキサメチレンテレフタルアミドに由来する単位２０〜８０モル％およびヘキサメチレンアジパミド、ヘキサメチレンセバカミド、ヘキサメチレンドデカミド、ヘキサメチレンイソフタルアミド、２−メチルペンタメチレンテレフタルアミドおよびその混合物の少なくとも１つに由来する単位８０〜２０モル％より成るコポリアミドであることを特徴とする請求項６に記載の方法。
【請求項８】
前記実質的に結晶性の表面領域が少なくとも約７０％の結晶性を示すことを特徴とする請求項１に記載の方法。
【請求項９】
前記実質的に結晶性の表面領域が約１００％の結晶性を示すことを特徴とする請求項１に記載の方法。
【請求項１０】
前記スパンボンドファブリックを少なくとも１つの他のシート様生成物と積層化する工程をさらに含むことを特徴とする請求項１に記載の方法。
【請求項１１】
工程（ｉ）が、アモルファスポリアリーレンスルフィドおよび結晶性向上剤のブレンドをシース成分として、別のメルトスピン性熱可塑性ポリマーより成るコア成分と共に同時メルトスピンすることによって実施されることを特徴とする請求項１に記載の方法。
【請求項１２】
（ａ）実質的にアルカリ金属スルフィドとジハロ芳香化合物の反応生成物であり３１０℃で決定された溶融粘度（ＭＶ）と１２００sec-1で約１２００〜約３０００ポイズの間の剪断率を有する未硬化のポリフェニレンスルフィド（ＰＰＳ）とポリプロピレン（ＰＰ）のみから成る熱可塑性ブレンドを複数のスピナレットオリフィスを通じて溶融押し出して対応する複数の溶融フィラメント状流を形成する工程と；
（ｂ）スピナレットオリフィスから出た溶融フィラメント状流を収集面に向かわせて、フィラメント状流を収集面に向かって移動する間に固化させ、それにより前記熱可塑性ブレンドの固化フィラメントを形成する工程と；
（ｃ）収集面上に固化フィラメントを個々のフィラメントが互いに結合していない結合力のない不織塊として収集する工程と；そしてその後に
（ｄ）前記固化フィラメントの結合力のない不織塊を約１４０℃以上のカレンダー加工温度で加熱された一対のカレンダーロールのニップを通過させて固化フィラメントを互いに固化させて不織塊の上に約６０％を越える結晶性を有する少なくとも実質的に結晶性表面を生成し、それにより結合力のあるスパンボンドファブリックを提供し、該スパンボンドファブリックは３分間１２０℃で熱硬化させると約５％未満の縦方向及び横方向の収縮を示すことを特徴とするスパンボンドファブリックを作成する方法。
【請求項１３】
カレンダー加工温度が約１４０℃であることを特徴とする請求項１２に記載の方法。
【請求項１４】
熱可塑性ブレンドが実質的に約１から約１０重量％の間のＰＰのみから成ることを特徴とする請求項１２に記載の方法。
【請求項１５】
熱可塑性ブレンドが実質的に約３から約７重量％の間のＰＰのみから成ることを特徴とする請求項１４に記載の方法。
【請求項１６】
熱可塑性ブレンドが実質的に約５重量％のＰＰのみから成ることを特徴とする請求項１５に記載の方法。
【請求項１７】
ＰＰＳが３１８℃で５ｋｇの加重下で約２ｇ／１０分から約１６００ｇ／１０分のメルトフローレート（ＭＦＲ）を有することを特徴とする請求項１２に記載の方法。
【請求項１８】
ＰＰが約４００ｇ／１０分から約１２００ｇ／１０分のメルトフローレートを有することを特徴とする請求項１７に記載の方法。
【請求項１９】
前記実質的に結晶性の表面領域は少なくとも７０％の結晶性を有することを特徴とする請求項１２に記載の方法。
【請求項２０】
前記実質的に結晶性の表面領域は約１００％の結晶性を有することを特徴とする請求項１２に記載の方法。
【手続補正書】
【提出日】平成20年5月7日(2008.5.7)
【手続補正１】
【補正対象書類名】特許請求の範囲
【補正対象項目名】全文
【補正方法】変更
【補正の内容】
【特許請求の範囲】
【請求項１】
熱可塑性ポリマーフィルムの形成方法であって：
（ａ）２つ以上のポリマー溶融物流を、二層の実質的に同一平面上の流れとして合流させるステップと；
（ｂ）ダイの中において、上部区画と下部区画とを有する合流させた前記溶融物流を押し出すステップと、
（ｃ）上部領域から下部領域まで揺動する非直線状の型出し切断開口部を有するダイプレートを介して合流させた前記同一平面上の流れを押し出し、それによって、前記上部区画中の前記ポリマーの少なくとも一部を前記上部領域まで不均一に分配し、さらに、前記下部区画中の前記ポリマーの少なくとも一部を前記下部領域まで不均一に分配することで、少なくとも上部および下部のポリマー層を形成するステップと、
（ｄ）フィルムを形成するステップであって、前記ダイプレート中の前記ポリマーの流れの分配によって、前記上部ポリマー層または前記下部のポリマー層の少なくとも一方は、前記フィルムの幅にわたって厚さが変動し、それによって、上面から底面まで揺動する山および谷として延在する一連の稜線部を有する前記熱可塑性ポリマーフィルムが得られ、該山および谷が、前記フィルムの上面及び底面の両方において連続した稜線部を形成する第１の方向に延在するステップとを有する、方法。
【請求項２】
前記フィルムを実質的に通過する複数の切れ目線において、前記第１の方向に対してある角度で、第２の方向において少なくとも１つの面上で非平面状の前記フィルムに切れ目を入れて、複数の切れ目部分を形成するステップと、前記切れ目の入ったフィルムを前記第１の方向に配向することで、前記切れ目部分を分離させて、切れ目のない部分によって連結する１組の分離したストランドを形成するステップとをさらに有する、請求項１に記載の方法。
【請求項３】
２つ以上のポリマー層を有する熱可塑性ポリマーフィルムであって、揺動する一連の山および谷を有し、該山および谷は、第１の方向に延在して連続する稜線部を前記フィルムの両面に形成し、少なくとも１つのポリマー層が前記山にて少なくとも第２のポリマー層に不均一に分配され、それによって２つ以上のポリマー層は、前記フィルムの幅にわたって厚さが変動する、フィルム。
【請求項４】
前記少なくとも１つのポリマー層は、最も厚い区画から最も薄い区画までで少なくとも５０％厚さが変動する、請求項３に記載のフィルム。
【手続補正書】
【提出日】平成20年5月21日(2008.5.21)
【手続補正１】
【補正対象書類名】特許請求の範囲
【補正対象項目名】全文
【補正方法】変更
【補正の内容】
【特許請求の範囲】
【請求項１】
約大気圧にて、未硬化の高分子複合体を水蒸気により加熱する工程を含んでなる、高分子複合体の形成もしくは硬化方法。  
【請求項２】
前記水蒸気が、ドライスチーム、ウェットスチーム、飽和スチームおよび過熱スチームを含む群の何れかの形態で供給される、請求項１に記載の方法。  
【請求項３】
前記水蒸気が８０℃以上の温度で供給される、請求項１または２に記載の方法。  
【請求項４】
加熱に先立ち、未硬化高分子複合体の周りに気密バリアを形成して該高分子複合体を気密バリアを通して水蒸気により加熱する工程をさらに含む請求項１〜３のいずれかに記載の方法。  
【請求項５】
気密バリアと未硬化高分子複合体との間の領域を脱気する工程を含む請求項４に記載の方法。  
【請求項６】
バリアの形成が、柔軟材料からバリアを形成することを含む請求項４または５に記載の方法。  
【請求項７】
気密バリアと未硬化高分子複合体との間の領域を、未硬化高分子複合体および該未硬化高分子複合体が載置または入れられた基材または型の形状に一致する程度まで脱気を行う請求項５または６に記載の方法。  
【請求項８】
未硬化高分子複合体の周りに開放または閉鎖チャンバーを設置し、水蒸気が該チャンバー内に存在または通過する際に、水蒸気が、チャンバーによって該未硬化高分子を取り巻くように制限する請求項１〜７のいずれかに記載の方法。  
【請求項９】
未硬化高分子複合体を、開放または閉鎖チャンバーに入れ、(a)チャンバー内で水を蒸発させて水蒸気を生成するか、(b)チャンバー外で水を蒸発させて水蒸気を生成し、この水蒸気をチャンバー内に通過させることをさらに含む、請求項１〜７のいずれかに記載の方法。  
【請求項１０】
未硬化高分子複合体の周りを柔軟素材で包むことでチャンバーを構築する請求項８または９に記載の方法。  
【請求項１１】
未硬化高分子複合体の周囲に断熱チャンバーを構築し、断熱チャンバー内に水蒸気を通過させることをさらに含む請求項１〜９のいずれかに記載の方法。  
【請求項１２】
チャンバーを通過する際に、水蒸気を膨張させることをさらに含む請求項８〜１１のいずれかに記載の方法。  
【請求項１３】
加熱に先立ち、基材または型を準備し、未硬化高分子複合体からなる少なくとも１つのプライを基材または型の上または中に配置することをさらに含む請求項１〜１２のいずれかに記載の方法。  
【請求項１４】
加熱に先立ち、破損または割れた部位を有する部材または物品を準備し、未硬化高分子複合体からなる少なくとも１層を該破損または割れた部位に配置し、未硬化高分子複合体を硬化して、該部材または物品を修理する請求項１〜１３のいずれかに記載の方法。  
【請求項１５】
部材または物品の表面から遊離物質を機械的に除去することをさらに含む請求項１４に記載の方法。  
【請求項１６】
ギャップ充填化合物を、前記部材または物品の１以上の隙間に適用することをさらに含む請求項１４または１５に記載の方法。
【請求項１７】
接着層を、前記部材または物品に適用し、該部材または物品と前記複合体との間に、接合を生成させることを含む請求項１４〜１６のいずれかに記載の方法。
【請求項１８】
非粘着性の離型フィルムを、前記複合体上に適用することを含む請求項１〜１７のいずれかに記載の方法。
【請求項１９】
未硬化高分子複合体の周囲に通気層を適用することをさらに含む請求項１〜１８のいずれかに記載の方法。
【手続補正書】
【提出日】平成20年3月7日(2008.3.7)
【手続補正１】
【補正対象書類名】特許請求の範囲
【補正対象項目名】請求項４
【補正方法】変更
【補正の内容】
【請求項４】
請求項１に記載の方法で、供給流れ（３）が、物体（１）のそれぞれがグリッパ（９０）によって保持され、物体が相互に重なり合って、上方から包装材ウェブ（２）へと供給されるグリッパ流れであることと、グリッパ流れの方向が、ウェブ方向に運搬される包装材ウェブ（２）上で転換され、その方向変更を通じて物体（１）が加速されることと、物体（１）が、開放されているグリッパ（９０）によって方向転換域において包装材ウェブ（２）上に堆積されることとを特徴とする方法。
【手続補正書】
【提出日】平成20年5月26日(2008.5.26)
【手続補正１】
【補正対象書類名】特許請求の範囲
【補正対象項目名】全文
【補正方法】変更
【補正の内容】
【特許請求の範囲】
【請求項１】
少なくとも１つのトレイと、液体入口及び液体出口と、ガス入口及びガス出口とを備えるカラム内で行われる液体−ガス間物質移動操作において、フラッディングを防止しつつ発泡性液体又は高粘度液体を処理する方法であって、
（ｉ）該操作は、該液体入口における圧力を該液体出口における圧力以上にして行われること、
（ii）該ガスを、各トレイに１つ設けられた別個の該ガス入口を介して各トレイに供給し、トレイプレートと該トレイプレートの下方の槽プレートとで形成されたチャンバに流し込み、それにより、カラムの内部からのガスが該チャンバに入らないようにすること、及び
（iii）泡状の液体が、その液体に対して対向流方向に流れるガスと共に運ばれることなくカラムの下方に強制的に押しやられるように、該ガスを、１つ以上の別個の該ガス出口を介して該カラムから流し出すことを特徴とする方法。
【請求項２】
少なくとも１つのトレイを収容する単一外殻（７）を備えた、請求項１に記載の方法を行うためのカラムであって、泡状の液体が、その液体に対して対向流方向に流れるガスと共に運ばれることなくカラムの下方に強制的に押しやられるように、
該外殻が、少なくとも１つの液体入口（１）と、少なくとも１つの液体出口（１１）と、各トレイに１つ設けられたガス入口（５）と、ガスを該カラムから出すための少なくとも１つのガス出口（２）とを備え、
各トレイが、トレイプレート（４）と該トレイプレート（４）の下方の槽プレート（６）とで形成されたチャンバを備えることを特徴とするカラム。
【請求項３】
前記トレイが、トレイプレート（４）と、該トレイプレートの下方の槽プレート（６）と、堰又はダウンカマー（３）とを備えることを特徴とする請求項２に記載のカラム。
【請求項４】
前記トレイプレート（４）が、濾板、充填材、気泡キャップトレイ、弁トレイ又は多孔管であることを特徴とする請求項２又は３に記載のカラム。
【請求項５】
前記トレイが、多孔管（８）と、該多孔管（８）の下方の槽プレート（６）とを備えることを特徴とする請求項２又は３に記載のカラム。
【請求項６】
前記トレイが、多孔管（８）と、該多孔管（８）の下方の槽プレート（６）と、充填材（９）とを備えることを特徴とする請求項２又は３に記載のカラム。
【請求項７】
発泡性液体又は高粘度液体からある成分を取り除くプロセスであって、
請求項１に記載の方法と、請求項２〜６のいずれか一項に記載のカラムとを、該プロセスに用いることを特徴とするプロセス。
【手続補正書】
【提出日】平成20年5月30日(2008.5.30)
【手続補正１】
【補正対象書類名】特許請求の範囲
【補正対象項目名】全文
【補正方法】変更
【補正の内容】
【特許請求の範囲】
【請求項１】
ナノコンポジット粒子を含む逆ミセルマイクロエマルジョンを調製するステップと、
該逆ミセルマイクロエマルジョンを分散剤で処理するステップと、
該マイクロエマルジョンに破壊剤を添加することによって、該マイクロエマルジョンを破壊してナノコンポジット粒子の懸濁液を形成するステップと、
該ナノコンポジット粒子の懸濁液を洗浄し分散させるステップと
を含む、懸濁状の非凝集性分散コア／シェル型ナノコンポジット粒子を調製する方法。
【請求項２】
酸／アルコール溶液が、前記ナノコンポジット粒子の懸濁液をｐＨ約５〜９に維持し、前記破壊剤が、酸性化したアルコール溶液である、請求項１に記載の方法。
【請求項３】
追加ステップ、すなわち、
界面活性剤、溶媒、および水性コア前駆体で構成される混合物を室温で形成することによって、前記逆ミセルマイクロエマルジョンを調製するステップと、
該混合物を約２分〜２４時間攪拌するステップと、
塩基を添加して、懸濁液を形成するステップと、
該懸濁液を約２分〜２４時間攪拌するステップと、
シリカまたはチタニアシェル前駆体材料を添加するステップと、
該マイクロエマルジョンを約２４時間熟成させるステップと
をさらに含む、請求項１に記載の方法。
【請求項４】
前記水性コア前駆体が、Ａｕ、Ａｇ、Ｃｏ、Ｎｉ、Ｃｕ、ＣｄＳ、Ｐｔ、有機顔料、有機染料；フルオレセインのナトリウム塩、ローダミン、ローダミン誘導体、フルオレセイン、フルオレセイン誘導体、ルシフェリンなどの有機蛍光物質、および１種または複数の薬剤からなる群より選択される、請求項３に記載の方法。
【請求項５】
前記薬剤が、核酸を転写活性型で細胞に送達する遺伝子治療薬である、請求項４に記載の方法。
【請求項６】
前記シェル前駆体材料が、ＳｉＯ2、ＴｉＯ2、ＺｎＯ、Ｆｅ2Ｏ3、ＺｒＯ2、ＮｉＯ、
およびＧｅＯ2、Ｓｎ、Ｐｂ、ＡｇおよびＡｕ、ＣａＰＯx、ＣａＣＯ3、テトラエトキシ
シラン（ＴＥＯＳ）、チタン（ＩＶ）イソプロポキシド、および一般式Ｃａx（ＰＯ4）y
（ＯＨ）z（ＳｉＯ2）aのカルシウムホスホシリケートからなる群より選択される、請求
項３に記載の方法。
【請求項７】
動物またはヒトにおいてｉｎ  ｖｉｖｏで前記ナノコンポジット粒子を使用するために、前記分散剤に表面改質剤を添加するステップをさらに含む、請求項１に記載の方法。
【請求項８】
前記表面改質剤がバインダーである、請求項７に記載の方法。
【請求項９】
前記バインダーが抗体である、請求項８に記載の方法。
【請求項１０】
前記ナノコンポジット粒子が約１〜１００ｎｍの一次粒径を有する、請求項１に記載の方法。
【手続補正書】
【提出日】平成20年5月2日(2008.5.2)
【手続補正１】
【補正対象書類名】特許請求の範囲
【補正対象項目名】全文
【補正方法】変更
【補正の内容】
【特許請求の範囲】
【請求項１】
適合可能で、工具を支持するレールと加工物のレール側表面の間を取外し可能に連結するための真空カップであって、
真空カップの内表面と、
真空カップの外表面と、
弾性材料を備え隣接部全体に接合される複数のパッドとを備え、各パッドと加工物のレール側表面の間にある領域がゾーンを画定し、
複数の補強要素をさらに備え、前記複数の補強要素のうちの少なくとも１つが前記パッドのそれぞれの中に少なくとも部分的に埋め込まれ、かつ前記補強要素がレールに取付け可能であり、
前記パッドに接合されて、前記パッドと加工物のレール側表面間にあるゾーンすべての周縁を取り囲む弾性の周縁シールをさらに備える、真空カップ。
【請求項２】
近接したパッド間に溝をさらに備え、前記溝が近接した補強材同士の間に可撓性のヒンジを設けることを特徴とする、請求項１に記載の真空カップ。
【請求項３】
前記パッドと前記溝の間にスロットを備える少なくとも１つの切溝をさらに備える、請求項２に記載の真空カップ。
【請求項４】
真空カップの前記内表面と加工物の間に画定される体積を占める真空室であって、前記真空室が前記周縁シールによって取り囲まれるすべてのゾーンの間を連通する真空室と、
真空カップに穿孔する吸気口であって、これを通って流体が前記真空室から抜き取られるかまたは前記真空室に供給されることのできる吸気口と、
をさらに備える、請求項１に記載の真空カップ。
【請求項５】
適合可能で工具を支持するレールと加工物のレール側表面の間を取外し可能に連結するための真空カップであって、
真空カップの内表面と、
真空カップの外表面と、
弾性材料を含み、隣接部全体に接合される複数のパッドとを備え、各パッドおよび加工
物のレール側表面の間にある領域がゾーンを画定し、
複数の補強要素をさらに備え、複数の補強要素のうちの１つがパッドのうちのそれぞれの中に少なくとも部分的に埋め込まれ、かつ前記補強要素がレールに取付け可能であり、
前記パッドに接合されて、前記パッドと加工物のレール側表面の間にあるすべてのゾーンの周縁を取り囲む弾性の周縁シールと、
レールに取付けられる複数のスタンドオフピンとをさらに備え、前記補強要素それぞれに前記スタンドオフピンの少なくとも１つが取付けられる、真空カップ。
【請求項６】
前記複数のスタンドオフピンが、加工物側の端部およびレール側の端部をさらに備えることを特徴とする、請求項５に記載の真空カップ。
【請求項７】
前記半球形の表面が、前記取付け力を受ける場合に前記加工物の弾性変形の制限に適合する曲率半径をさらに備えることを特徴とする、請求項６に記載の真空カップ。
【請求項８】
長手方向軸を備えるレールと加工物のレール側表面の間の取付け装置であって、
レールの長手方向軸に対して横方向であり、加工物のレール側表面に対して平行な軸に沿って、真空カップを補強するための手段と、
真空の損失を防ぐために補強手段を加工物のレール側表面に取外し可能にシールするための手段と、
加工物のレール側表面上の位置に関してレール上に位置を厳密に決めるための手段と、
前記シールするための手段と加工物のレール側表面の間にある空間すべてを占める空間に真空供給源を結合するための手段と、
を備える、取付け装置。
【請求項９】
前記取付け装置が、
実質的に均一な隙間によって近位の補強するための手段の隣接面を分離するための手段と、
前記分離するための手段によって定められた隣接面を真空が漏れないようにシールするための手段と、
前記分離するための手段において寸法を力学的に変動させつつ、前記シールするための手段の機能を確保するための手段と、
をさらに備える、請求項８に記載の取付け装置。
【請求項１０】
長手方向軸を備えるレールを加工物のレール側表面に取外し可能に取付けるための方法であって、
レールの長手方向軸に対して横方向であり、加工物のレール側表面に対して平行な軸に沿って、真空カップを補強するステップと、
真空の損失を防ぐために真空カップの周縁を加工物のレール側表面に取外し可能にシールするステップと、
加工物のレール側表面上の位置に関してレール上に位置を厳密に決めるステップと、
真空カップと加工物のレール側表面の間にある空間すべてを占める空間に真空供給源を結合するステップと、
を備える、方法。
【請求項１１】
実質的に均一な隙間によって近接した補強パッドを互いから分離するステップと、
互いから分離した近接したパッドを真空の漏れを防ぐためにシールするステップと、
分離されたパッド間の分離の距離および角度を力学的に変動しつつ、シール機能を保持するステップと、
をさらに備える、長手方向軸を有するレールを加工物のレール側表面に取付けるための請求項１０に記載の方法。
【手続補正書】
【提出日】平成20年6月11日(2008.6.11)
【手続補正１】
【補正対象書類名】特許請求の範囲
【補正対象項目名】全文
【補正方法】変更
【補正の内容】
【特許請求の範囲】
【請求項１】
レーザビームを用いて、そのレーザビームの下方に位置する基板の領域を除去するアブレーション処理方法であって、
前記領域に近接したポートから該領域に供給される、単一の源からの流体、即ち、ガスまたは蒸気、液体またはこれらの結合体の流れを用いて、前記領域から除去されたデブリを取り除くステップを有し、
前記ポートはレーザビームの周囲に対称に設置されて、該流れを他の源からのいかなる流体とも混在しないように前記領域上を横断させてデブリを取り込ませ、その後、該流れは取り込んだデブリと共に前記領域に垂直な所定の経路に沿って前記領域から離れるようにされたアブレーション処理方法。
【請求項２】
前記流体の流れはガスにより構成されていることを特徴とする請求項１に記載のアブレーション方法。
【請求項３】
前記流体の流れは前記領域に対して実質的に垂直に流れるようにされることを特徴とする請求項１または２に記載のアブレーション方法。
【請求項４】
前記流体の流れは前記領域を横断して流れるようになされることを特徴とする請求項１または２に記載のアブレーション方法。
【請求項５】
レーザを用いて基板の領域を除去する装置であって、
レーザビーム用のフォーカスまたは撮像レンズと前記基板の領域との間に位置する部分閉塞デブリ除去モジュール（ＤＥＭ）を有し、
前記領域とレーザビームの周囲に対称となるように設置された流入ポートからセルに流れ込む単一の源からの流体、即ち、ガスまたは蒸気、液体またはこれらの結合体の流れを供給し、その流れが他のいかなる流体とも混在することなく前記領域を横断して流れるようにされることにより、前記領域から除去されたデブリを取り込ませ、その後、前記領域から取り込んだデブリとともにその流れが前記領域に垂直な所定の経路に沿って前記領域から離れるようにされた装置。
【請求項６】
前記流体の流れは液体により構成されることを特徴とする請求項５に記載の装置。
【請求項７】
前記流体の流れが前記領域に実質的に垂直に流れるようにする手段を有することを特徴とする請求項５または６に記載の装置。
【請求項８】
前記ＤＥＭは前記レーザビームを透過する窓により前記レンズに近い側で閉塞されていることを特徴とする請求項５乃至７の何れか１項に記載の装置。
【請求項９】
前記窓は前記窓上に堆積されたデブリを取り除くためのワイパー手段を有していることを特徴とする請求項８に記載の装置。
【請求項１０】
前記窓に堆積したデブリを除去するために前記窓が移動できるようになされた静止ワイパーを有することを特徴とする請求項９に記載の装置。
【請求項１１】
前記ＤＥＭは、前記ビームを前記ＤＥＭから前記領域に通過するようにする透孔または透孔のアレーを有する前記レンズの絞りに位置するプレートによって前記レンズに最も近い側で閉塞されていることを特徴とする前述の請求項５乃至８の何れか１項に記載の装置。
【請求項１２】
前期ＤＥＭと前記基板の間に、前記ＤＥＭ内に前記流体を流入させ前記領域の少なくとも一部分上に流れこむようにする間隙を設けることを特徴とする前述の請求項５乃至１１の何れか１項に記載の装置。
【請求項１３】
前記ＤＥＭは移動可能なスライド上に配設され、前記ＤＥＭの下方縁に設けられている間隙は、前記スライドに連結された適切な基板表面位置センサーにより、前記基板の移動期間中一定に維持されることを特徴とする請求項１２に記載の装置。
【請求項１４】
前記ＤＥＭは、前記基板上に浮遊するエアーパックに取り付けられていることを特徴とする前述の請求項５乃至１３の何れか１項に記載の装置。
【請求項１５】
前記ＤＥＭを介する流体の流れは、流体を前記ＤＥＭにポンプ手段を用いて流入させることにより作り出すことを特徴とする前述の請求項５乃至１４の何れか１項に記載の装置。
【請求項１６】
前記ＤＥＭを介する流体の流れは、流体を前記ＤＥＭからポンプ手段を用いて除去することにより作り出すことを特徴とする前述の請求項５乃至１４の何れか１項に記載の装置。
【請求項１７】
前記領域からオフセットしたＤＥＭの領域に、前記窓上に堆積されたデブリを除去するためのガス流を供給するためのガス流入ポートが位置していることを特徴とする前述の請求項５乃至１６の何れか１項に記載の装置。
【請求項１８】
前記または各流入ポートは、流入する流体が前記領域に向かって内向きの半径方向に流入できるように設けられていることを特徴とする前述の請求項５乃至１７の何れか１項に記載の装置。
【請求項１９】
前記ＤＥＭの内部は平滑とされ、流体の流れに影響を与える不連続性を有していないことを特徴とする前述の請求項５乃至１８の何れか１項に記載の装置。
【請求項２０】
流体の前記流れは閉ループにおいて流れるようになされ前記ＤＥＭから抜きとった前記流体は再循環され前記ＤＥＭに戻ることを特徴とする前述の請求項５乃至１９の何れか１項に記載の装置。
【手続補正書】
【提出日】平成20年1月17日(2008.1.17)
【手続補正１】
【補正対象書類名】特許請求の範囲
【補正対象項目名】全文
【補正方法】変更
【補正の内容】
【特許請求の範囲】
【請求項１】
第一の平面状面（３２）と、該第一の平面状面に対向した第二の平面状面（２２）とを有するハウジング（２０）にして、これら平面状のハウジング面（２２、３２）は、軸線（１７）に沿って可動であり且つ該軸線（１７）の周りを回転可能であるスラストディスク（１１）を取り囲んでおり、前記スラストディスク（１１）は、第一及び第二の軸方向軸受面（１２、１３）を有している、前記ハウジング（２０）内にて使用するのに適した流体動圧軸受セット（１０）において、
前記第一の軸方向軸受面（１２）に隣接して配設され且つ前記ハウジング（２０）に取り外し可能に固定された第一の頂部フォイル（２１）であって、前記第二の平面状のハウジング面（２２）と接触する第一の頂部フォイルばねを有し、該第一の頂部フォイルばねは、前記第一の頂部フォイル（２１）を前記スラストディスク（１１）から離すように付勢している、前記第一の頂部フォイル（２１）と、
前記第一の頂部フォイル（２１）と前記第一の平面状のハウジング面（３２）との間に取り外し可能に固定された第一のアンダースプリング（２５）と、
前記第二の軸方向軸受面（１３）に隣接して配設され且つ前記ハウジング（２０）に取り外し可能に固定された第二の頂部フォイル（２３）と、
前記第二の頂部フォイル（２３）と前記第二の平面状のハウジング面（２２）との間にて取り外し可能に固定された第二のアンダースプリング（２７）と、を備える、流体動圧軸受セット（１０）。
【請求項２】
請求項１に記載の流体動圧軸受セット（１０）において、前記第一の頂部フォイルばねは、前記第一の頂部フォイル（２１）の周縁に取り付けられた少なくとも１つの二重板ばね（４１）を備え、該二重板ばね（４１）は、２つの板ばねアーム（４７ａ、４７ｂ）を有している、流体動圧軸受セット（１０）。
【請求項３】
請求項２に記載の流体動圧軸受セット（１０）において、前記２つの板ばねアームは、少なくとも１つの半径方向幹部（４７ｃ）から延びて弧状の形状を形成し、前記２つの板ばねアームは、前記少なくとも１つの半径方向幹部（４７ｃ）を介して前記第一の頂部フォイルの周縁と接続されている、流体動圧軸受セット（１０）。
【請求項４】
請求項２に記載の流体動圧軸受セット（１０）において、前記２つの板ばねアーム（６３ａ、６３ｂ）は、少なくとも１つの半径方向幹部に対して直角に延びて直線状の形状を形成し、前記２つの板ばねアーム（６３ａ、６３ｂ）は、前記少なくとも１つの半径方向幹部を介して前記第一の頂部フォイルの周縁と接続されている、流体動圧軸受セット（１０）。
【手続補正書】
【提出日】平成20年7月11日(2008.7.11)
【手続補正１】
【補正対象書類名】特許請求の範囲
【補正対象項目名】全文
【補正方法】変更
【補正の内容】
【特許請求の範囲】
【請求項１】
虚血性腎損傷および腎臓毒による損傷から選択される、哺乳類における急性腎尿細管細胞損傷の同定のための方法であって、以下のステップを含む方法：
１）哺乳類の対象から血液サンプルを得るステップ；
２）得られた血液サンプルの好中球ゼラチナーゼ結合リポカリン（ＮＧＡＬ）のレベルを、ＮＧＡＬアッセイの結果として決定するステップ；および
３）ＮＧＡＬアッセイの結果に基づき、哺乳類における急性腎尿細管細胞損傷を同定するステップ。
【請求項２】
ＮＧＡＬのレベルを決定するステップが、
１）得られた血液サンプルから血清サンプルを単離するステップ；
２）抗体とＮＧＡＬの複合体の形成を可能にするために、ＮＧＡＬに対する抗体と血清サンプルを接触させるステップ；
３）抗体−ＮＧＡＬ複合体のＮＧＡＬのレベルを、ＮＧＡＬアッセイの結果として決定するステップ；
を含む、請求項１に記載の方法。
【請求項３】
抗体−ＮＧＡＬ複合体を検出するステップが、ＮＧＡＬを検出するための２次抗体と複合体を接触させることを含む、請求項２に記載の方法。
【請求項４】
腎尿細管細胞損傷に対する処置の有効性をモニタリングする方法であって、以下のステップを含む方法：
１）急性腎尿細管細胞損傷に罹っている哺乳類に処置を提供するステップ；
２）前記哺乳類から少なくとも１つの処置後血液サンプルを得るステップ；および
３）処置後血液サンプルにおいて、ＮＧＡＬのレベルを決定するステップ。
【請求項５】
事象によって引き起こされる、虚血性腎損傷および腎臓毒による損傷から選択される急性腎尿細管細胞損傷の程度を特定する方法であって、以下のステップを含む方法：
１）哺乳類から少なくとも１つの血液サンプルを得るステップ；
２）ＮＧＡＬのレベルを決定するステップ；および
３）事象の時点に対する、ＮＧＡＬのレベルの開始の時点に基づいて、急性腎尿細管細胞損傷の程度を決定するステップ（ただし、事象は、外科的手技、腎臓への血液供給の低下、心臓機能の障害、集中治療室への患者の収容、ならびに、対象への医薬品、放射線造影染料、または他の医薬物質の投与から選択される）。
【請求項６】
哺乳類を急性腎不全（ＡＲＦ）に進行しやすくする急性腎尿細管細胞損傷を哺乳類が有するかをさらに決定する、請求項１、４および５のいずれかに記載の方法であって、さらに以下のステップを含む方法：
４）ＡＲＦに進行する腎尿細管細胞損傷を決定するために選択されるＮＧＡＬカットオフレベルとＮＧＡＬアッセイ結果を比較するステップ（ただし、ＮＧＡＬアッセイ結果がＮＧＡＬカットオフレベルよりも大きいとき、哺乳類は急性腎尿細管細胞損傷の結果としてＡＲＦに進行しやすいと決定される）。
【請求項７】
哺乳類が心臓手術、冠状動脈バイパス手術、心臓血管手術、血管手術、腎毒性薬剤の投与および腎臓移植から選択される手技を受けているか、または哺乳類が虚血性腎損傷、心臓機能不全、脳卒中、外傷、敗血症、脱水症および腎毒性腎損傷から選択される状態を有する、請求項６に記載の方法。
【請求項８】
血液サンプルを急性腎尿細管細胞損傷の開始からある期間内に得る（ただし、期間は２４時間、６時間、４時間、２時間および３０分から選択される）、請求項６または７に記載の方法。
【請求項９】
期間が４時間、２時間および３０分から選択される、請求項８に記載の方法。
【請求項１０】
さらに以下のステップを含む、請求項７に記載の方法：
ａ）治療を受ける前、または状態の開始前の哺乳類から前血液サンプルを得るステップ；
ｂ）前血液サンプルのＮＧＡＬのレベルを決定するアッセイを行ってベースラインＮＧＡＬレベルを得るステップ。
【請求項１１】
哺乳類がヒトであり、そしてＮＧＡＬカットオフレベルが健常人から得られた血液サンプルのＮＧＡＬのレベル以上である、請求項６に記載の方法。
【請求項１２】
得られた血液サンプルが哺乳類から得られた血液サンプルから単離された血清サンプルである、請求項１、４、５または６に記載の方法。
【請求項１３】
ＮＧＡＬに対する抗体を含む、請求項１〜１２のいずれかに記載の方法に使用するための薬剤。
【手続補正書】
【提出日】平成20年5月19日(2008.5.19)
【手続補正１】
【補正対象書類名】特許請求の範囲
【補正対象項目名】全文
【補正方法】変更
【補正の内容】
【特許請求の範囲】
【請求項１】
機械的人工呼吸回路の助けを借りて呼吸する被験者から呼気凝縮液を採取するための装置であって、
（ａ）被験者の呼吸を促進するための機械的人工呼吸回路であって、被験者の呼気を取り除くための導管として働く呼気流管を含む人工呼吸回路と、
（ｂ）内部を有する中央室であって、凝縮を促進するために約３２°Ｆ以下の温度に冷却することができる中央室と、
（ｃ）中央室の内部および呼気流管と流体連通するように中央室の一端に配置された呼気入力アセンブリであって、呼気流管と中央室とを接続する呼気入力アセンブリと、
（ｄ）中央室の内部と流体連通するように中央室の他端に配置された出口アセンブリと、
（ｅ）中央室から呼気凝縮液を採取するために出口アセンブリに接続された真空装置と、を備える装置。
【請求項２】
（ａ）内部ならびに第１および第２の対向端を有する中央室と、
（ｂ）中央室の内部と流体連通する呼気入力アセンブリと、
（ｃ）中央室の内部と流体連通する出口アセンブリとを含む、呼気凝縮液採取装置であって、前記出口アセンブリが細管を含み、前記細管がその中に配置された繊維プラグを有し、前記プラグがリポ多糖体に暴露されるとゲル化を引き起こす反応試薬を含浸されている、装置。
【請求項３】
プラグはリムルス変形細胞溶解物に由来する酵素を含浸させた繊維基質である、請求項２に記載の呼気凝縮液採取装置。
【請求項４】
前記装置は、ピストンおよびハンドルを有するプランジャアセンブリをさらに含み、前記ピストンは中央室の内部に摺動自在に配置され、前記ハンドルはピストンを中央室内で移動することができるように中央室の第１端から延び、それによって採取された呼気凝縮液が細管内に配置された繊維プラグと接触することができる、請求項２に記載の呼気凝縮液採取装置。
【請求項５】
呼気凝縮液中のリポ多糖体の濃度を測定するための反応室アセンブリであって、
（ａ）反応室と、
（ｂ）呼気凝縮液を反応室内に送り込むための送り込みポートと、
（ｃ）呼気凝縮液中に存在するリポ多糖体と反応する反応試薬と、
（ｄ）反応室内の物理的変化の視覚的な検出を可能にする目視部と
を含む反応室アセンブリ。
【請求項６】
送り込みポートは、呼気凝縮液の送り込みのために皮下注射針を穿刺することのできる再封可能な蓋である、請求項５に記載の反応室。
【請求項７】
目視部は透明な壁である、請求項５に記載の反応室。
【請求項８】
反応室は内部表面を含み、リポ多糖体固定剤は反応室の内部表面の少なくとも一部分に結合されている、請求項５に記載の反応室。
【請求項９】
リポ多糖体固定剤はモノクローナル抗体、ポリクローナル抗体、ポリミキシン抗生剤、リポ多糖体結合タンパク質、およびカブトガニ抗リポ多糖体因子から構成される群から選択される、請求項８に記載の反応室。
【請求項１０】
反応室は反応室内に配置された化学物質をさらに含み、前記化学物質は水和反応により熱を放出し、それによって化学物質の水和により、１５〜３０分間、３４〜４３℃の範囲の温度が達成される、請求項５に記載の反応室。
【請求項１１】
化学物質は半透性基質中の塩である、請求項１０に記載の反応室。
【請求項１２】
化学物質は結晶形態の塩である、請求項１０に記載の反応室。
【請求項１３】
化学物質はチオ硫酸ナトリウム五水和物である、請求項１０に記載の反応室。
【請求項１４】
呼気凝縮液中のリポ多糖体の存在を検出するための検査キットカートリッジであって、
（ａ）筺体と、
（ｂ）筺体内に配置された検査モジュールであって、ユーザ始動化学反応を利用して呼気凝縮液中のリポ多糖体の存在を検出する検査モジュールと、
（ｃ）筺体内に検査モジュールに隣接して配置された陽性対照モジュールであって、リポ多糖体の存在について確実な陽性結果を示すためにその内部に配置されたリポ多糖体を有する、検査モジュールとの比較用の陽性対照モジュールと、
を含む検査キットカートリッジ。
【請求項１５】
制御された発熱反応をもたらす化学物質を筺体内に配置することをさらに含み、それにより３４℃から４３℃の間の温度が１５〜３０分の期間達成される、請求項１４に記載の検査キットカートリッジ。
【請求項１６】
化学物質はチオ硫酸ナトリウム五水和物である、請求項１５に記載の検査キットカートリッジ。
【請求項１７】
検査キットの各モジュールは再封可能な注入ポートと、反応ウェルと、反応ウェルと注入ポートとの間の流体接続部と、流体接続部に配置された第１の一方向弁と、反応ウェルの出口を提供する出口管と、出口管に配置された第２の一方向弁とを含む、請求項１４に記載の検査キットカートリッジ。
【請求項１８】
各反応ウェルは物理的変化の視覚的決定を可能にするように適応された透明なカバーを含む、請求項１７に記載の検査キットカートリッジ。
【請求項１９】
各反応ウェルは不溶性高分子リポ多糖体結合マトリクスを含む、請求項１７に記載の検査キットカートリッジ。
【請求項２０】
陽性対照モジュールの反応ウェルは適切な種のグラム陰性細菌に由来するリポ多糖体を含む、請求項１７に記載の検査キットカートリッジ。
【請求項２１】
反応室から再構成される発色基質をさらに含む、請求項１７に記載の検査キットカートリッジ。
【請求項２２】
徐々に増加する色相強度のカラーパッチを有するカラーストリップをさらに含み、各カラーパッチは所定の範囲のエンドトキシン単位に対応して、反応ウェルの色変化との視覚的な比較を可能にする、請求項１７に記載の検査キットカートリッジ。
【請求項２３】
筺体はポリマーから形成される、請求項１４に記載の検査キットカートリッジ。
【請求項２４】
ポリマーはプラスチックである、請求項２３に記載の検査キットカートリッジ。
【手続補正書】
【提出日】平成20年6月2日(2008.6.2)
【手続補正１】
【補正対象書類名】特許請求の範囲
【補正対象項目名】全文
【補正方法】変更
【補正の内容】
【特許請求の範囲】
【請求項１】
アテローム性動脈硬化症に対する素因およびアテローム硬化性プラークおよび／または血管閉塞の発生に対する感受性の診断、予知、または同定のための方法であって、少なくとも2のT-リンパ球の亜集団の頻度割合を決定するために試料を分析すること、ならびに得られたデータを比較データおよび／または対照データと比較することを含んでなる方法であって、少なくとも1の前記Tリンパ球の亜集団は、CD8+/CD11L+/CD45RA+、CD8+/CD11L+/CD45RO+、CD8+CD11a+、CD8+CD62L+、CD8+CD11highRO+ 、およびCD8+CD38+RO+からなる群より選択されるCD8 T細胞の集団であるか、またはCD4+/62L+、CD4+CD49d+、CD4+CD25+、CD4+DRII+、CD4+CD44+、およびCD4+CD3+RO+からなる群より選択されるCD4 T細胞の集団である方法。
【請求項２】
請求項1に記載の方法であって、少なくとも1の前記Tリンパ球の亜集団がCD8+/CD11L+/CD45RA+、CD8+/CD11L+/CD45RO+、CD8+CD11a+、CD8+CD62L+、CD8+CD11highRO+、およびCD8+CD38+RO+からなる群より選択されるCD8 T細胞の集団であり、他の少なくとも1の前記Tリンパ球の亜集団がCD4+/62L+、CD4+CD49d、CD4+CD25+、CD4+DRII+、CD4+CD44+、およびCD4+CD3+RO+からなる群より選択されるCD4 T細胞の集団である方法。
【請求項３】
前記試料が血液または生検試料である、請求項1または請求項2に記載の方法。
【請求項４】
請求項1〜3のいずれか1項に記載の方法であって、さらに、血漿または血清中において、細胞内の1以上の可溶性因子の濃度を決定すること、ならびに得られたデータを比較データおよび対照データと比較することを含んでなる方法。
【請求項５】
請求項4に記載の方法であって、前記可溶性因子が、サイトカインおよびケモカインからなる群より選択される方法。
【請求項６】
請求項1〜5のいずれか1項に記載の方法であって、さらに、1以上の付加的な下記のステップ(a)および(b)を含み、且つ得られたデータを比較データおよび対照データと比較することを含んでなる方法：
（a）試料中において活性化サイトカイン、および／またはケモカイン、および／またはインテグリン、および／またはセレクチンを発現している細胞の頻度割合を決定すること；
（b）細胞活性化の原因となる細胞表面分子の頻度を決定すること。
【請求項７】
請求項5または6に記載の方法であって、前記サイトカインが、インターロイキン-1 (αまたはβ)、インターロイキン-2、インターロイキン-3、インターロイキン-4、インターロイキン-5、インターロイキン-6、インターロイキン-7、インターロイキン-8、インターロイキン-9、インターロイキン-10、インターロイキン-11、インターロイキン-12、インターロイキン-13、インターロイキン-14、インターロイキン-15、インターロイキン-16、インターロイキン-17、インターフェロン-α、インターフェロン-β、インターフェロン-γ、TNF-αおよびTNF-βのような腫瘍壊死因子、線維芽細胞成長因子(FGF)、血小板由来成長因子(PDGF)、G-CSF、GM-CSF、M-LSFのようなコロニー刺激因子、TGF-βのようなトランスフォーミング成長因子のうちの1以上である方法。
【請求項８】
前記サイトカインがTNF-α、IL-12、インターフェロン-α、FGF、およびPDGFである、請求項7に記載の方法。
【請求項９】
前記ケモカインにCCおよびCXCケモカインが含まれる、請求項5または6に記載の方法。
【請求項１０】
請求項1〜9のいずれか1項に記載の方法であって、さらに、同じ患者からの試料におけるマクロファージ化学誘導タンパク質1(MCP-1)の濃度を決定する付加的なステップを含んでなる方法。
【請求項１１】
請求項1〜10のいずれか1項に記載の方法であって、さらに、免疫学的パラメーターにおける統計学的変化を決定する付加的なステップを含んでなる方法。
【請求項１２】
前記免疫学的パラメーターがリンパ球の割合である、請求項11に記載の方法。
【請求項１３】
請求項1〜12のいずれか1項に記載の方法であって、さらに、アテローム性動脈硬化症またはアテローム硬化性プラークの存在または可能性を示している肥厚があるかどうかを決定するために、血管内膜の厚さを評価するステップを含んでなる方法。
【請求項１４】
血管内膜の厚さの評価を超音波検査によって行う、請求項13に記載の方法。
【請求項１５】
データをコンピュータソフトウェアおよび画像診断を用いて解析する、請求項1〜14のいずれか1項に記載の方法。
【請求項１６】
血液試料の分析が、単一のチューブにおける全血を標識化することを含んでなる、請求項3に記載の方法。
【請求項１７】
請求項16に記載の方法であって、前記血液試料の分析が、赤血球を溶解するステップおよびフローサイトメトリーを用いて解析するステップをさらに含んでなる方法。
【請求項１８】
請求項16に記載の方法であって、前記血液試料の分析が、さらに、標識された細胞を固相に加えるステップおよび細胞をカウントするために画像分析機器を用いるステップを含んでなる方法。
【請求項１９】
請求項17または18に記載の方法であって、プラーク形成の正確な予測を促進するために、コンピュータソフトウェアを用いて、単一の患者の結果を、健康な個体の結果のデータベースおよび疾患の変動する段階に由来するデータのデータベースと比較する方法。
【手続補正書】
【提出日】平成20年5月8日(2008.5.8)
【手続補正１】
【補正対象書類名】特許請求の範囲
【補正対象項目名】全文
【補正方法】変更
【補正の内容】
【特許請求の範囲】
【請求項１】
左側ビューイング瞳で観察者によって見られるべき左側画像と、右側ビューイング瞳で前記観察者によって見られるべき右側画像とを含む、立体画像を見るための自動立体光学装置であって、
（ａ）湾曲鏡の焦点面の付近に左側湾曲中間画像を形成するための左側画像生成システムであり、
（ｉ）左側源画像を形成するための左側画像源と、
（ｉｉ）該左側画像源からの光を収集するための少なくとも１つのレンズと、前記左側湾曲中間画像を形成するよう、前記収集された光を配向するための左側画像折畳み面とを含む左側光学系であり、前記左側湾曲中間画像の曲率中心の付近に光学的に中心化された出射瞳を形成する左側光学系と、
を含む左側画像生成システムと、
（ｂ）前記湾曲鏡の前記焦点面の付近に右側湾曲中間画像を形成するための右側画像生成装置であり、
（ｉ）右側源画像を形成するための右側画像源と、
（ｉｉ）該右側画像源からの光を収集するための少なくとも１つのレンズと、前記右側湾曲中間画像を形成するよう、前記収集された光を配向するための右側画像折畳み面とを含む右側光学系であり、前記右側湾曲中間画像の曲率中心の付近に光学的に中心化された出射瞳を形成する右側光学系と、
を含む右側画像生成装置と、
（ｃ）前記左側光学系の前記出射瞳と前記右側光学系の前記出射瞳との間の実質的に光学的に中途に配置された前記湾曲鏡の前記曲率中心と、
（ｄ）前記湾曲鏡の前記鏡面と前記曲率中心との間に配置されたビームスプリッタとを含み、
前記湾曲鏡及び前記ビームスプリッタは、前記左側ビューイング瞳に、
（ｉ）前記左側光学系の前記出射瞳の実画像と、
（ｉｉ）前記湾曲鏡の背後に現れるべき前記左側湾曲中間画像の画像と、
を含むビームスプリッタと、
を形成するよう協働し、
前記湾曲鏡及び前記ビームスプリッタは、前記右側ビューイング瞳に、
（ｉ）前記右側光学系の前記出口瞳の実画像と、
（ｉｉ）前記湾曲鏡の背後に現れるべき前記右側湾曲中間画像の画像と、
を形成するようさらに協働する、
自動立体光学装置。
【請求項２】
前記左側画像折畳み面は、前記左側光学系の開口絞りに実質的に配置される、請求項１に記載の自動立体光学装置。
【請求項３】
前記左側光学系の前記出力レンズの直径は、６５〜２００ｍｍの範囲内にある、請求項１に記載の自動立体光学装置。
【手続補正書】
【提出日】平成20年2月20日(2008.2.20)
【手続補正１】
【補正対象書類名】特許請求の範囲
【補正対象項目名】請求項１６
【補正方法】変更
【補正の内容】
【請求項１６】
反射防止膜が、フォトレジスト層をコーティングする前のベーク処理段階の後で、有機溶剤及び水性アルカリ性溶液中に不溶性になり、そしてフォトレジスト層及び底面反射防止膜層の現像の前の化学線による露光の後で、水性アルカリ性溶液中に可溶性になる、請求項１４の方法。
【手続補正２】
【補正対象書類名】明細書
【補正対象項目名】００１６
【補正方法】変更
【補正の内容】
【００１６】
本発明の新規反射防止組成物は、光結像が可能で、水性アルカリで現像が可能でありそしてポジ型の反射防止膜に関する。本発明の反射防止膜組成物は、フォトレジストへの基材からの反射を防ぐために、ポジ型フォトレジスト層の塗布の前に基材にコーティングされる。該反射防止膜の固形成分は、通常のフォトレジスト溶剤中に可溶性であり、かつ塗膜を形成することができるものであり、更に、エッジビーズリムーバ溶剤と相溶性である。エッジビーズリムーバ溶剤は、スピンコート工程中に形成される反射防止膜縁上の盛り上がり（buildup）を除去するために使用される。この反射防止膜は、その上に塗布される上面フォトレジスト層と同じ波長の化学線で光結像が可能であり、またフォトレジストを通常現像するのに使用されるものと同じ水性アルカリ性現像溶液で現像が可能である。単一の露光段階及び単一の現像段階の組み合わせは、リソグラフィプロセスを大幅に簡素化する。更に、水性現像性反射防止膜は、芳香族官能基を含まないフォトレジスト、例えば１９３ｎｍ及び１５７ｎｍ露光に使用されるようなフォトレジストを用いて像の形成を行う場合に特に望ましい。該新規組成物は、フォトレジストから基材への良好な像の転写を可能にし、またフォトレジスト中の反射ノッチング及び線幅変動もしくは定在波を防ぐ良好な吸光特性を有する。また、反射防止膜とフォトレジスト膜との間の相互混合は実質的にない。更に、該反射防止膜は、良好な溶液安定性を有し、そして良好な塗膜品質を有する薄い膜を形成する。後者はリソグラフィにとって特に有利である。該反射防止膜を像形成プロセスにフォトレジストと使用すると、基材に損傷を与えることなく鮮明な像が得られる。